(57)【要約】  本発明は、ロボットアームを用いたレーザーの照射装置及び方法に関する。本発明によるロボットアームを用いたレーザーの照射方法は、オブジェクトをスキャンして、生データ（Ｒａｗ  Ｄａｔａ）を収集するステップと、前記生データに基づいて、前記オブジェクトの３次元イメージを構成するステップと、前記３次元イメージ上において、前記オブジェクトの表面に関心領域（Ｒｅｇｉｏｎ  Ｏｆ  Ｉｎｔｅｒｅｓｔ；ＲＯＩ）を設定するステップと、前記関心領域を通るガイド経路（Ｇｕｉｄｅ  Ｐａｔｈ）を設定するステップと、エンドエフェクター（Ｅｎｄ−Ｅｆｆｅｃｔｏｒ）が取り付けられたロボットアーム（Ｒｏｂｏｔ−Ａｒｍ）で前記ガイド経路に対応して前記オブジェクトの表面にレーザー（Ｌａｓｅｒ）を照射するステップと、を含んでいてもよい。
2019513501.tif 000002
【特許請求の範囲】
【請求項１】
オブジェクトをスキャンして、生データ（Ｒａｗ  Ｄａｔａ）を収集するステップと、
前記生データに基づいて、前記オブジェクトの３次元イメージを構成するステップと、
前記３次元イメージ上において、前記オブジェクトの表面に関心領域（Ｒｅｇｉｏｎ  Ｏｆ  Ｉｎｔｅｒｅｓｔ；ＲＯＩ）を設定するステップと、
前記関心領域を通るガイド経路（Ｇｕｉｄｅ  Ｐａｔｈ）を設定するステップと、
エンドエフェクター（Ｅｎｄ−Ｅｆｆｅｃｔｏｒ）が取り付けられたロボットアーム（Ｒｏｂｏｔ−Ａｒｍ）で前記ガイド経路に対応して前記オブジェクトの表面にレーザー（Ｌａｓｅｒ）を照射するステップと、
を含む方法。
【請求項２】
前記生データは、２次元イメージ（２Ｄ  Ｉｍａｇｅ）と深さ情報（Ｄｅｐｔｈ  Ｉｎｆｏｒｍａｔｉｏｎ）を含む請求項１に記載の方法。
【請求項３】
前記関心領域を設定するステップは、
前記オブジェクトの表面において、色（Ｃｏｌｏｒ）又は明暗のうちの少なくとも一方が周りとは異なる治療部分を検出するステップと、
治療領域を含むように前記関心領域を設定するステップと、
を含む請求項１に記載の方法。
【請求項４】
前記ガイド経路は、前記治療領域を通り、前記レーザーは、前記治療領域に照射される請求項３に記載の方法。
【請求項５】
前記治療領域の色又は明るさのうちの少なくとも一方の度合いに応じて、前記レーザーの周波数、照射時間、照射回数又はフルエンス（Ｆｌｕｅｎｃｅ）のうちの少なくとも一つを調節するステップをさらに含む請求項３に記載の方法。
【請求項６】
施術過程において前記オブジェクトの動きが発生する場合、前記オブジェクトの動きに応じて前記ガイド経路を修正するステップをさらに含む請求項１に記載の方法。
【請求項７】
前記オブジェクトの動きが予め設定された臨界範囲を超える場合、前記レーザーの照射を停止するステップをさらに含む請求項６に記載の方法。
【請求項８】
施術過程において予め設定された基準値以上の振動が発生する場合、前記レーザーの照射を停止するステップをさらに含む請求項１に記載の方法。
【請求項９】
前記ロボットアームに予め設定された臨界値以上の力が加えられる場合、前記レーザーの照射を停止するステップをさらに含む請求項１に記載の方法。
【請求項１０】
オブジェクトをスキャンして、生データ（Ｒａｗ  Ｄａｔａ）を収集するスキャナーと、
前記生データに基づいて、前記オブジェクトの３次元イメージを構成し、前記３次元イメージ上において、前記オブジェクトの表面に関心領域（Ｒｅｇｉｏｎ  Ｏｆ  Ｉｎｔｅｒｅｓｔ；ＲＯＩ）を設定するビジョン制御部と、
前記関心領域を通るガイド経路（Ｇｕｉｄｅ  Ｐａｔｈ）を設定するモーション制御部と、
エンドエフェクター（Ｅｎｄ−Ｅｆｆｅｃｔｏｒ）を取り付け、前記ガイド経路に対応して、前記オブジェクトの表面にレーザー（Ｌａｓｅｒ）を照射するロボットアーム（Ｒｏｂｏｔ−Ａｒｍ）と、
を備える装置。
【請求項１１】
前記スキャナーは、
２次元カラーイメージ（２Ｄ  Ｉｍａｇｅ）を撮影するカラーセンサーと、
３次元深さデータ（３Ｄ  Ｄｅｐｔｈ  Ｄａｔａ）を取得するＩＲプロジェクター及びＩＲセンサーと、
を備える請求項１０に記載の装置。
【請求項１２】
前記ビジョン制御部は、
前記オブジェクトの表面において、色（Ｃｏｌｏｒ）又は明るさのうちの少なくとも一方が周りとは異なる治療部分を検出し、治療領域を含むように前記関心領域を設定する請求項１０に記載の装置。
【請求項１３】
前記ガイド経路は、前記治療領域を通り、前記ロボットアームは、前記治療領域に前記レーザーを照射する請求項１２に記載の装置。
【請求項１４】
前記モーション制御部は、
前記治療領域の色又は明るさのうちの少なくとも一方の度合いに応じて、前記レーザーの周波数、照射時間、照射回数又はフルエンスのうちの少なくとも一つを調節する請求項１２に記載の装置。
【請求項１５】
前記モーション制御部は、
施術過程において前記オブジェクトの動きが発生する場合、前記オブジェクトの動きに応じて前記ガイド経路を修正する請求項１０に記載の装置。
【請求項１６】
前記モーション制御部は、
前記オブジェクトの動きが予め設定された臨界範囲を超える場合、前記レーザーの照射を停止する請求項１５に記載の装置。
【請求項１７】
前記モーション制御部は、
施術過程において予め設定された基準値以上の振動が発生する場合、前記レーザーの照射を停止する請求項１０に記載の装置。
【請求項１８】
前記モーション制御部は、
前記ロボットアームに予め設定された臨界値以上の力が加えられる場合、前記レーザーの照射を停止する請求項１０に記載の装置。
【請求項１９】
前記ロボットアームは、
第１のベース部（Ｆｉｒｓｔ  Ｂａｓｅ  Ｐａｒｔ）と、
前記第１のベース部に回転自在にカップリング（Ｃｏｕｐｌｉｎｇ）される第２のベース部（Ｓｅｃｏｎｄ  Ｂａｓｅ  Ｐａｒｔ）と、
前記第２のベース部に揺動（Ｓｗｉｎｇ）自在にカップリングされる第１のリンク（Ｆｉｒｓｔ  Ｌｉｎｋ）と、
前記第１のリンクに揺動自在にカップリングされる第２のリンク（Ｓｅｃｏｎｄ  Ｌｉｎｋ）と、
一端が、前記第２のベース部にカップリングされ、他端が、前記第２のリンクにカップリングされる補助リンク（Ａｕｘｉｌｉａｒｙ  Ｌｉｎｋ）と、
前記第１のベース部に配置され、レーザーを発生させるレーザー部（Ｌａｓｅｒ  Ｐａｒｔ）と、
前記第１のベース部に配置され、前記第２のベース部を回転させる第１のモーター部（Ｆｉｒｓｔ  Ｍｏｔｏｒ  Ｐａｒｔ）と、
前記第２のベース部に配置され、前記第１のリンクを揺動させる第２のモーター部（Ｓｅｃｏｎｄ  Ｍｏｔｏｒ  Ｐａｒｔ）と、
前記第２のベース部に配置され、前記補助リンクを介して前記第２のリンクを揺動させる第３のモーター部（Ｔｈｉｒｄ  Ｍｏｔｏｒ  Ｐａｒｔ）と、
を備える請求項１０に記載の装置。
【請求項２０】
前記第３のモーター部は、
前記補助リンクを上下に運動させ、
前記補助リンクの上下運動によって前記第２のリンクが揺動される請求項１９に記載の装置。
【発明の詳細な説明】
【技術分野】
【０００１】
本発明は、ロボットアームを用いたレーザーの照射装置及び方法に関する。
【背景技術】
【０００２】
今日、治療などの目的のためにレーザービームを皮膚に照射して施術する多種多様なレーザー治療技術が開発されており、レーザー治療技術の利用のための医療用のレーザー装置への取り組みもまた盛んに行われている。
【０００３】
レーザーを用いた治療技術は、脱毛の防止や発毛の促進、剥皮、皮膚の再生、美白、シワや斑点の除去、シミの除去など種々の目的で利用されている。
【０００４】
しかしながら、従来は、レーザー治療装置をユーザー、例えば、医者がマニュアルで操作しながら治療を行っていた。
【０００５】
これに伴い、治療の精度が低下し、これは、治療の信頼性の低下につながるという問題があった。
【０００６】
併せて、従来は、レーザーの治療に要する時間が長過ぎるという問題があった。
【発明の概要】
【発明が解決しようとする課題】
【０００７】
本発明は、レーザー装置が自動的にオブジェクトをスキャンし、スキャンした情報に基づいて、オブジェクトの表面にレーザーを照射するロボットアームを用いたレーザーの照射装置及び方法を提供することにその目的がある。
【課題を解決するための手段】
【０００８】
本発明の一実施形態によるロボットアームを用いたレーザー照射方法は、オブジェクトをスキャンして、生データ（Ｒａｗ  Ｄａｔａ）を収集するステップと、前記生データに基づいて、前記オブジェクトの３次元イメージを構成するステップと、前記３次元イメージ上において、前記オブジェクトの表面に関心領域（Ｒｅｇｉｏｎ  Ｏｆ  Ｉｎｔｅｒｅｓｔ；ＲＯＩ）を設定するステップと、前記関心領域を通るガイド経路（Ｇｕｉｄｅ  Ｐａｔｈ）を設定するステップと、エンドエフェクター（Ｅｎｄ−Ｅｆｆｅｃｔｏｒ）が取り付けられたロボットアーム（Ｒｏｂｏｔ−Ａｒｍ）で前記ガイド経路に対応して前記オブジェクトの表面にレーザー（Ｌａｓｅｒ）を照射するステップと、を含んでいてもよい。
【０００９】
一方、前記レーザーの照射方法は、同方法を行うためのコンピュータープログラムとして作成されてプログラムそれ自体として提供されてもよく、記録媒体に保存されてもよく、本発明の一実施形態によるレーザーの照射装置によって行われてもよい。
【００１０】
本発明の一実施形態によるロボットアームを用いたレーザーの照射装置は、オブジェクトをスキャンして、生データ（Ｒａｗ  Ｄａｔａ）を収集するスキャナーと、前記生データに基づいて、前記オブジェクトの３次元イメージを構成し、前記３次元イメージ上において、前記オブジェクトの表面に関心領域（Ｒｅｇｉｏｎ  Ｏｆ  Ｉｎｔｅｒｅｓｔ；ＲＯＩ）を設定するビジョン制御部と、前記関心領域を通るガイド経路（Ｇｕｉｄｅ  Ｐａｔｈ）を設定するモーション制御部と、エンドエフェクター（Ｅｎｄ−Ｅｆｆｅｃｔｏｒ）を取り付け、前記ガイド経路に対応して、前記オブジェクトの表面にレーザー（Ｌａｓｅｒ）を照射するロボットアーム（Ｒｏｂｏｔ−Ａｒｍ）と、を備えていてもよい。
【００１１】
また、前記レーザーの照射装置は、インターネットなどの有線・無線ネットワークを用いて外部サーバーと連動して、上述したように制御されてもよい。
【００１２】
さらに、前記ロボットアームは、第１のベース部（Ｆｉｒｓｔ  Ｂａｓｅ  Ｐａｒｔ）と、前記第１のベース部に回転自在にカップリング（Ｃｏｕｐｌｉｎｇ）される第２のベース部（Ｓｅｃｏｎｄ  Ｂａｓｅ  Ｐａｒｔ）と、前記第２のベース部に揺動（Ｓｗｉｎｇ）自在にカップリングされる第１のリンク（Ｆｉｒｓｔ  Ｌｉｎｋ）と、前記第１のリンクに揺動自在にカップリングされる第２のリンク（Ｓｅｃｏｎｄ  Ｌｉｎｋ）と、一端が、前記第２のベース部にカップリングされ、他端が、前記第２のリンクにカップリングされる補助リンク（Ａｕｘｉｌｉａｒｙ  Ｌｉｎｋ）と、前記第１のベース部に配置され、レーザーを発生させるレーザー部（Ｌａｓｅｒ  Ｐａｒｔ）と、前記第１のベース部に配置され、前記第２のベース部を回転させる第１のモーター部（Ｆｉｒｓｔ  Ｍｏｔｏｒ  Ｐａｒｔ）と、前記第２のベース部に配置され、前記第１のリンクを揺動させる第２のモーター部（Ｓｅｃｏｎｄ  Ｍｏｔｏｒ  Ｐａｒｔ）と、前記第２のベース部に配置され、前記補助リンクを介して前記第２のリンクを揺動させる第３のモーター部（Ｔｈｉｒｄ  Ｍｏｔｏｒ  Ｐａｒｔ）と、を備えていてもよい。
【発明の効果】
【００１３】
本発明によるロボットアームを用いたレーザーの照射装置及び方法は、レーザー治療の精度を向上させることができ、レーザー治療に要する施術者の時間を短縮させることができるという効果がある。
【図面の簡単な説明】
【００１４】
【図１】本発明によるレーザーの照射装置の全体的な構成に対する実施形態を説明するための図である。
【図２】本発明によるレーザーの照射装置の全体的な構成に対する実施形態を説明するための図である。
【図３】本発明によるレーザーの照射装置の全体的な構成に対する実施形態を説明するための図である。
【図４】本発明の一実施形態によるレーザーの照射装置の動作を説明するための図である。
【図５】本発明の一実施形態によるレーザーの照射装置の動作を説明するための図である。
【図６】本発明の一実施形態によるレーザーの照射装置の動作を説明するための図である。
【図７】本発明の一実施形態によるレーザーの照射装置の動作を説明するための図である。
【図８】本発明の一実施形態によるレーザーの照射装置の動作を説明するための図である。
【図９】本発明の一実施形態によるレーザーの照射装置の動作を説明するための図である。
【図１０】本発明の一実施形態によるレーザーの照射装置の動作を説明するための図である。
【図１１】本発明の一実施形態によるレーザーの照射装置の動作を説明するための図である。
【図１２】本発明の一実施形態によるレーザーの照射装置の動作を説明するための図である。
【図１３】本発明の一実施形態によるレーザーの照射装置の動作を説明するための図である。
【図１４】本発明の一実施形態によるレーザーの照射装置の動作を説明するための図である。
【図１５】本発明の一実施形態によるレーザーの照射装置の動作を説明するための図である。
【図１６】本発明の一実施形態によるレーザーの照射装置の動作を説明するための図である。
【図１７】本発明の一実施形態によるレーザーの照射装置の動作を説明するための図である。
【図１８】本発明の一実施形態によるレーザーの照射装置の動作を説明するための図である。
【図１９】本発明の一実施形態によるレーザーの照射装置の動作を説明するための図である。
【図２０】本発明の一実施形態によるレーザーの照射装置の動作を説明するための図である。
【図２１】本発明の一実施形態によるレーザーの照射装置の動作を説明するための図である。
【図２２】本発明の一実施形態によるレーザーの照射装置の動作を説明するための図である。
【図２３】本発明の一実施形態によるレーザーの照射装置の動作を説明するための図である。
【図２４】本発明の一実施形態によるレーザーの照射装置の動作を説明するための図である。
【図２５】本発明の一実施形態によるレーザーの照射装置の動作を説明するための図である。
【図２６】ロボットアームの構造に対する実施形態について説明するための図である。
【図２７】ロボットアームの構造に対する実施形態について説明するための図である。
【図２８】ロボットアームの構造に対する実施形態について説明するための図である。
【図２９】ロボットアームの構造に対する実施形態について説明するための図である。
【図３０】ロボットアームの構造に対する実施形態について説明するための図である。
【図３１】ロボットアームの構造に対する実施形態について説明するための図である。
【図３２】ロボットアームの構造に対する実施形態について説明するための図である。
【図３３】ロボットアームの構造に対する実施形態について説明するための図である。
【図３４】ロボットアームの構造に対する実施形態について説明するための図である。
【発明を実施するための形態】
【００１５】
以下、添付図面に基づいて、本発明によるロボットアームを用いたレーザーの照射装置及び方法に対する実施形態を詳しく説明する。
【００１６】
本発明は、様々な変更を加えることができ、種々の実施形態を有することができるので、特定の実施形態を図面に例示し、詳細な説明において詳しく説明する。これは、本発明を特定の実施形態に対して限定しようとするものではなく、本発明の思想及び技術的範囲に含まれるあらゆる変更、均等物ないし代替物を含むものと理解されるべきである。
【００１７】
本発明を説明するに当たって、この開示において用いられる「第１の」、「第２の」などの言い回しは、複数の構成要素を説明する上で使用可能であるが、前記構成要素は、前記言い回しによって何等限定されない。「第１の」、「第２の」などの言い回しは、ある構成要素を他の構成要素から区別する目的でしか使えない。例えば、本発明の権利範囲を逸脱しない範囲内において第１の構成要素は第２の構成要素と命名されてもよく、同様に、第２の構成要素もまた第１の構成要素と命名されてもよい。
【００１８】
及び／又はという言い回しは、複数の関連する記載の項目の組み合わせ又は複数の関連する記載の項目のうちのいずれか一つの項目を含んでいてもよい。
【００１９】
この開示において、ある構成要素が他の構成要素と「連結」されているとか、「接続」されているとか、と言及された場合、前記ある構成要素が前記他の構成要素に直接連結されたり接続されたりすると理解されるべきであるか、または、新たな他の構成要素を介して連結されたり接続されたりすると理解されるべきである。これに対し、ある構成要素が他の構成要素と「直接連結」されているとか、「直接接続されている」とか、と言及されたときには、新たな他の構成要素を介して連結されたり接続されたりしないと理解されるべきである。
【００２０】
この開示において用いた用語は、単に特定の実施形態を説明するために用いられたものであり、本発明を限定しようとする意図はない。単数の表現は、文脈からみて明らかに他の意味を有さない限り、複数の言い回しを含む。
【００２１】
この開示において、「備える」または「有する」などの用語は、明細書に記載の特徴、数字、段階、動作、構成要素、部品またはこれらを組み合わせたものが存在することを指定するものに過ぎず、一つまたはそれ以上の他の特徴や数字、段階、動作、構成要素、部品またはこれらを組み合わせたものの存在または付加の可能性を予め排除しないものと理解すべきである。
【００２２】
この開示に用いられる全ての技術的用語及び科学的用語は、本明細書中で特に指摘したり、明らかに文脈と矛盾したりしない限り、この開示が属する技術分野において通常の知識を有する者にとって一般的に理解される意味を有する。一般に用いられる、辞書に定義されているような用語は、関連技術の文脈上有する意味と一致する意味を有するものと解釈されるべきであり、この開示において明らかに定義しない限り、理想的な意味として、または過度に形式的な意味として解釈されない。
【００２３】
なお、以下の実施形態は、当技術分野において平均的な知識を有する者により完全に本発明を説明するために提供されるものであり、図中の要素の形状及び大きさなどは、より明確な説明のために誇張されてもよい。
【００２４】
以下では、説明のしやすさのために、患者の顔の皮膚にレーザーを照射する場合を例にとって説明するが、本発明による装置及び方法は、所定のオブジェクトの表面にレーザーを照射するものであれば、いかなるものにも適用可能である。
【００２５】
図１から図３は、本発明によるレーザーの照射装置の全体的な構成に対する実施形態を説明するためのものである。
【００２６】
図１を参照すると、レーザーの照射装置１０は、スキャナー（Ｓｃａｎｎｅｒ）３００と、ロボットアーム（Ｒｏｂｏｔ−Ａｒｍ）１００及び制御部２００を備えていてもよい。
【００２７】
スキャナー３００は、オブジェクトをスキャンして、生データ（Ｒａｗ  Ｄａｔａ）を収集してもよい。ここで、生データは、２次元イメージ（２Ｄ  Ｉｍａｇｅ）と深さ情報（Ｄｅｐｔｈ  Ｉｎｆｏｒｍａｔｉｏｎ）を含んでいてもよい。
【００２８】
前記２次元イメージ（２Ｄ  Ｉｍａｇｅ）は、カラー情報を含んでいてもよく、患者の皮膚のカラー情報を踏まえて、毛細血管拡張症などの特定の症状に対する診断が可能であってもよい。なお、前記２次元イメージ（２Ｄ  Ｉｍａｇｅ）と深さ情報（Ｄｅｐｔｈ  Ｉｎｆｏｒｍａｔｉｏｎ）を用いて、患者の顔の毛孔、傷跡、シワなどに対する大きさ、位置、深さなどが検出されてもよい。
【００２９】
このため、スキャナー３００は、図２の場合のように、２次元カラーイメージ（２Ｄ  Ｉｍａｇｅ）を撮影するカラーセンサー３１０と、３次元深さデータ（３Ｄ  Ｄｅｐｔｈ  Ｄａｔａ）を取得するＩＲプロジェクター３２０及びＩＲセンサー３３０を備えていてもよい。
【００３０】
ＩＲプロジェクター３２０がＩＲ光をオブジェクト４００の表面、すなわち、患者の皮膚に照射すれば、ＩＲセンサー３３０がオブジェクト４００の表面で反射されるＩＲ光を検出して深さデータを取得してもよい。
【００３１】
カラーセンサー３１０は、オブジェクトの表面を撮影して、２次元カラーイメージを取得してもよい。
【００３２】
ロボットアーム１００は、図３に示すように、エンドエフェクター（Ｅｎｄ−Ｅｆｆｅｃｔｏｒ；ＥＥ）１０１を取り付け、制御部２００の制御に応じて、オブジェクト４００の表面にレーザーを照射してもよい。詳しくは、ロボットアーム１００は、ガイド経路ＧＰに対応して、オブジェクト４００の表面にレーザーを照射してもよい。レーザーは、エンドエフェクター１０１を介して発射されてもよい。このようなロボットアーム１００をマニピュレーター（Ｍａｎｉｐｕｌａｔｏｒ）と見なしてもよい。
【００３３】
制御部２００は、レーザーの照射装置１０の全般的な機能及び動作を制御してもよい。
【００３４】
制御部２００は、ビジョン制御部２１０とモーション制御部２２０を備えていてもよい。
【００３５】
ビジョン制御部２１０は、スキャナー３００から２次元イメージと深さ情報を含む生データを伝送され、伝送された生データに基づいて、オブジェクト４００の３次元イメージを構成してもよい。
【００３６】
ここで、前記生データの原点（ｏｒｉｇｉｎ）と座標の方向は、オブジェクト４００、例えば、顔の形状（ｓｈａｐｅ）と大きさ（ｖｏｌｕｍｅ）に応じて変化してもよく、スキャナー３００のスキャンの開始地点など様々な要因によって変化してもよい。
【００３７】
また、ビジョン制御部２１０は、前記生データを整列（ａｌｉｇｎｍｅｎｔ）して、座標を調整してもよい。そのため、ビジョン制御部２１０は、顔認識（ｆａｃｅ  ｒｅｃｏｇｎｉｔｉｏｎ）アルゴリズムを用いて、オブジェクトの目と鼻などの位置を検出して、整列同次行列（ａｌｉｇｎｉｎｇ  ｈｏｍｏｇｅｎｅｏｕｓ  ｍａｔｒｉｘ）を取得してもよい。
【００３８】
ビジョン制御部２１０は、３次元イメージ上におけるオブジェクト４００の表面に関心領域（Ｒｅｇｉｏｎ  Ｏｆ  Ｉｎｔｅｒｅｓｔ；ＲＯＩ）を設定してもよい。
【００３９】
関心領域ＲＯＩは、レーザーの照射が必要な部分を含む領域であってもよく、これは、ユーザー（例えば、医者）によって設定されてもよく、又は、前記３次元イメージの処理を通じて自動的に設定されてもよい。
【００４０】
例えば、ユーザーは、顔の表面に４つのコーナーポイント（ｃｏｎｅｒ  ｐｏｉｎｔｓ）をクリックして、前記関心領域ＲＯＩを設定してもよく、この場合、それぞれのコーナーポイントに対応する垂直ベクトル（ｎｏｒｍａｌ  ｖｅｃｔｏｒ）が取得されてもよい。
【００４１】
一方、ビジョン制御部２１０は、スキャナー３００から伝送されたデータに基づいて、オブジェクト４００の表面の色（Ｃｏｌｏｒ）又は明暗のうちの少なくとも一方を判別し、これに基づいて、関心領域を設定してもよい。
【００４２】
詳しくは、ビジョン制御部２１０は、スキャナー３００が撮影したオブジェクト４００の２次元カラーイメージからオブジェクト４００の表面において、色が周りとは異なる部分及び／又は明暗が周りとは異なる部分を検出してもよい。併せて、色及び／又は明暗が周りとは異なる部分を含むように関心領域を設定することが可能である。
【００４３】
より具体的に、特定の部分が暗く見えるのは、主として色素又は血管の深さなどによるものであってもよく、これとは異なり、皮膚の輪郭（ｃｏｎｔｏｕｒ）による日の陰った領域によるものであってもよい。
【００４４】
そこで、顔の色素又は血管などによって暗く見えることと、皮膚の輪郭によって日の陰った領域において暗く見えることを区別するためのアルゴリズムが適用されてもよく、このような区別によって皮膚科的な治療方法が異なってきてもよい。
【００４５】
例えば、皮膚の輪郭によって日の陰った領域が発生する場合には、老化に起因して皮膚が垂れ下がったり皮下脂肪層が委縮してきたりするものであるため、弾力治療、脂肪移植、フィラーなどの治療が行われなければならない。
【００４６】
また、傷跡によって日の陰った領域が発生した場合、傷跡の治療が必要であってもよい。
【００４７】
以下では、オブジェクトの表面においてレーザーが照射されて治療が必要な部分を治療領域（Ｒｅｇｉｏｎ  Ｏｆ  Ｔｈｅｒａｐｙ；ＲＯＴ）と称してもよい。
【００４８】
例えば、前記治療領域ＲＯＴは、人間の皮膚に生じる斑点、シミ、そばかす、火傷の痕跡、入れ墨、にきびの痕跡、目の周りのくまなどであってもよいが、本発明は、これに何等限定されず、様々な種類、波長又は周波数のレーザーを照射して治療可能な領域であってもよい。
【００４９】
上述したような色及び／又は明暗が周りとは異なる部分が、ビジョン制御部２１０によって前記治療領域ＲＯＴであると判断されてもよい。
【００５０】
本発明の一実施形態によれば、上述したように、関心領域ＲＯＩと治療領域ＲＯＴは別途に設定されてもよいが、必要に応じて、実際にレーザーが照射されるべき治療領域ＲＯＴのみが設定されてもよい。
【００５１】
ビジョン制御部２１０は、上述したようにして判断（又は、設定）された情報に基づいて、レーザー治療のためのオブジェクト上の移動パターンを構成し、前記移動パターンは、前記関心領域ＲＯＩ又は治療領域ＲＯＴを通るガイド経路（Ｇｕｉｄｅ  Ｐａｔｈ；ＧＰ）を設定することによって構成されてもよい。
【００５２】
その後、ビジョン制御部２１０は、前記ガイド経路ＧＰの上に配置される複数のポイントを設定する。前記複数のポイントは、オブジェクトの表面にレーザーが照射されるべき位置を示すものであり、２次元イメージ上において表示されるガイド経路ＧＰ上のポイントが３次元イメージの上に投影ｐｒｏｊｅｃｔｉｏｎ）されてもよい。
【００５３】
また、ビジョン制御部２１０は、前記ガイド経路ＧＰの上に配置される複数のポイントのうち、治療領域ＲＯＴ内に位置するポイントのみを選択して、オブジェクトの表面において実際にレーザーが照射されるべきレーザー照射ポイントを取得してもよい。
【００５４】
モーション制御部２２０は、ビジョン制御部２１０によって取得された情報に基づいて、ロボットアーム１００の動作を制御して、レーザーを発射するエンドエフェクター１０１がオブジェクトの表面に隣り合って移動しながらレーザーを照射できるようにする。
【００５５】
ここで、レーザーが発射される間に、エンドエフェクター１０１とオブジェクトの表面との間隔は、移動中にも一定に保たれることが好ましく、前記間隔は、レーザーの焦点距離に基づいて設定されてもよい。
【００５６】
例えば、モーション制御部２２０は、前記ビジョン制御部２１０において設定されたガイド経路ＧＰ及びレーザー照射ポイントに基づいて、ロボットアーム１００のレーザー部の移動及びレーザー照射を制御してもよい。
【００５７】
また、モーション制御部２２０は、状況に応じて、ロボットアーム１００を緊急に停止してレーザーの照射を緊急に中断してもよく、例えば、医者又は患者の動作や音声などによってロボットアーム１００の動作が停止されるようにしてもよい。
【００５８】
本発明によるレーザーの照射装置１０は、医者モード及び自動モードにおいてそれぞれ動作してもよい。
【００５９】
例えば、自動モードにおいては、スキャナー３００がオブジェクト４００の表面をスキャンして、オブジェクト４００の表面に関する情報を取得し、これに基づいて、制御部２００がロボットアーム１００を制御して、オブジェクト４００の表面にレーザーを照射してもよい。
【００６０】
これに対し、手動モードにおいては、制御権をユーザー、例えば、医者に移譲してもよい。手動モードにおいては、ロボットアーム１００がユーザーの制御に応じて動作してもよい。
【００６１】
以上、図１から図３を参照して、本発明の一実施形態によるレーザーの照射装置の構成について説明したが、本発明は、これに何等限定されず、図示の構成要素のうちの一部が省略されてもよく、必要に応じて、付加的な構成要素が追加されてもよい。
【００６２】
例えば、レーザーの照射装置１０は、人工知能（ＡＩ；Ａｒｔｉｆｉｃｉａｌ  Ｉｎｔｅｌｌｉｇｅｎｃｅ）の機能を果たすための別途の演算部（図示せず）と、ビッグデータの処理のためのデータベース（図示せず）などをさらに備えていてもよい。
【００６３】
本発明によるレーザーの照射装置１０を用いたレーザーの照射方法について、添付図面に基づいて詳しく説明すると、次の通りである。
【００６４】
図４から図１９は、本発明の一実施形態によるレーザーの照射装置の動作を説明するための示すものであり、以下、レーザーの照射装置１０の動作及び構成のうち、図１から図３を参照して説明した内容と同じ内容についての説明は省略する。
【００６５】
図４を参照すると、現在の設定モードが自動モードであるか否かが判断され（ステップＳ１００）、自動モードではない場合、手動モードであるか否かが判断される（ステップＳ１１０）。
【００６６】
例えば、ユーザーは、レーザーの照射装置１０に配備されたボタン又はタッチスクリーンに配備されたユーザーインターフェースを用いて入力して、手動モード又は自動モードのうちのどちらか一方を選択して設定することが可能である。
【００６７】
前記ステップＳ１１０における判断の結果、手動モードではない場合には、予め設定された他の機能（Ｄｅｆａｕｌｔ）を行う（ステップＳ１２０）。
【００６８】
一方、手動モードである場合、手動モードの設定を確認し（ステップＳ１３０）、ユーザーに制御権を移譲する（ステップＳ１４０）。
【００６９】
ここで、「制御権をユーザーに移譲する」とは、制御部２００が自ら判断してロボットアーム１００を動作させることを制限することを意味してもよい。
【００７０】
手動モードでは、ユーザーが自分の力でロボットアーム１００を動作させながらレーザー治療を行ってもよい。
【００７１】
一方、前記ステップＳ１００における判断の結果、自動モードである場合、スキャナー３００が制御部２００の制御に応じてオブジェクト４００の表面をスキャンする（ステップＳ１５０）。スキャナー３００のスキャンの結果として、２次元イメージと深さ情報を含む生データが生成されてもよい。
【００７２】
ここで、ユーザーがモニター上におけるポインターの動きに応じて、レーザーの照射位置が移動するスクリーンモードも可能であってもよい。
【００７３】
その後、ビジョン制御部２１０は、スキャナー３００が取得した生データに基づいて、３次元イメージを構成する（ステップＳ１６０）。
【００７４】
例えば、図５の（Ａ）のような人間の頭部形状の石こう像（Ｐｌａｓｔｅｒ  Ｃａｓｔ）をスキャンすれば、図５の（Ｂ）のような形状に３次元イメージが構成されてもよい。
【００７５】
以下では、説明のしやすさのために、オブジェクト４００について、人間の頭部形状の石こう像を例にとって説明する。
【００７６】
３次元イメージを構成した後、３次元イメージ上におけるオブジェクト４００の表面に関心領域ＲＯＩが設定される（ステップＳ１７０）
【００７７】
例えば、図５の（Ｃ）の場合のように、３次元イメージ上におけるオブジェクト４００の表面に第１のコーナーポイント（Ｐｃｏｒ、１）、第２のコーナーポイント（Ｐｃｏｒ、２）、第３のコーナーポイント（Ｐｃｏｒ、３）及び第４のコーナーポイント（Ｐｃｏｒ、４）を設定してもよい。その後、第１、第２、 第３及び第４のコーナーポイントを頂点として区切られる領域を関心領域ＲＯＩとして設定してもよい。
【００７８】
ここでは、４つのコーナーポイントを用いて関心領域ＲＯＩを設定したが、状況に応じて、用いられるコーナーポイントの数は変更されてもよい。例えば、３つ以上のコーナーポイントを用いて関心領域ＲＯＩを設定することが可能である。
【００７９】
以下では、説明のしやすさのために、第１のコーナーポイント（Ｐｃｏｒ、１）を第１のポイントＰ１と称し、第２のコーナーポイント（Ｐｃｏｒ、２）を第２のポイントＰ２と称し、第３のコーナーポイント（Ｐｃｏｒ、３）を第３のポイントＰ３と称し、そして第４のコーナーポイント（Ｐｃｏｒ、４）を第４のポイントＰ４と称してもよい。
【００８０】
その後、関心領域ＲＯＩを通るガイド経路ＧＰが設定される（ステップＳ１８０）。
【００８１】
例えば、図６に示すように、関心領域ＲＯＩ内においてガイド経路ＧＰを設定することが可能である。
【００８２】
ガイド経路ＧＰの開始地点、すなわち、レーザーを照射し始める地点はＰｓと表示し、ガイド経路ＧＰの終了地点、すなわち、レーザー照射が終了する地点はＰｔと表示した。
【００８３】
その後、ガイド経路ＧＰに対応して、オブジェクトの表面上のレーザー照射ポイントに順次レーザーが照射される（ステップＳ１９０）。
【００８４】
ガイド経路ＧＰは、ロボットアーム１００がレーザーを照射する経路を含んでいてもよい。言い換えれば、ロボットアーム１００は、ガイド経路ＧＰに対応して移動しながら、オブジェクトの表面にレーザーを照射することが可能である。
【００８５】
ガイド経路ＧＰは、レーザーの弾着地点をつなげた経路を含むものと見なしてもよい。
【００８６】
一方、関心領域ＲＯＩは、オブジェクト４００の表面の色、明暗、輪郭（ｃｏｎｔｏｕｒ）及びテクスチャー（ｔｅｘｔｕｒｅ）のうちの少なくとも一つに基づいて設定されてもよい。これについて、添付の図７を参照して説明すると、次の通りである。
【００８７】
図７を参照すると、関心領域ＲＯＩを設定する前記ステップＳ１７０においては、まず、オブジェクト４００の表面の色及び／又は明暗が判別される（ステップＳ１７１）。ここで、オブジェクト４００の２次元カラーイメージからオブジェクト４００の表面の色及び／又は明暗が判断されてもよい。
【００８８】
その後、判別値が予め設定された基準値と比較され（ステップＳ１７２）、判別値を比較／分析した結果を踏まえて、オブジェクト４００の表面において、色、明暗及び輪郭（ｃｏｎｔｏｕｒ）のうちの少なくとも一つが周りとは異なる治療領域ＲＯＴが検出される（ステップＳ１７３）。
【００８９】
例えば、オブジェクト４００の表面において、色、明暗、輪郭（ｃｏｎｔｏｕｒ）及びテクスチャー（ｔｅｘｔｕｒｅ）のうちの少なくとも一つに基づいて、一般領域ＲＯＮと治療領域ＲＯＴとが区切られてもよい。
【００９０】
図８に示すように、合計で１６個の単位領域（Ｕｎｉｔ  Ａｒｅａ）が４×４形式に配列されてなる場合、それぞれの単位領域に表示された数字は、明るさ値（Ｂｒｉｇｈｔｎｅｓｓ  Ｖａｌｕｅ）を意味してもよい。
【００９１】
ここで、基準となる明るさ値が４０であると仮定したとき、明るさ値が４０よりも小さい（１，  １）、（２，  １）、（３，  １）、（３，  ２）、（３，  ３）、（３，  ４）、（４，  １）、（４，  ２）、（４，  ３）及び（４，  ４）の単位領域を治療領域ＲＯＴと判別してもよい。
【００９２】
残りの部分は、一般領域（Ｒｅｇｉｏｎ  Ｏｆ  Ｎｏｒｍａｌ；ＲＯＮ）としてもよい。
【００９３】
治療領域ＲＯＴの明るさは、他の部分、すなわち、一般領域ＲＯＮの明るさよりも低いため、相対的にさらに低いことがある。これと同様に、治療領域ＲＯＴのカラーは、一般領域ＲＯＮのカラーよりも濃くても良い。「カラーが濃い」とは、さらに暗いことを意味してもよい。
【００９４】
このように、治療領域ＲＯＴの明るさ値は、予め設定された基準となる明るさ値よりも低い部分であるとも言える。基準となる明るさ値は、オブジェクト４００の表面の状態、特徴（例えば、輪郭又はテクスチャーなど）、カラートーンなどの要因に応じて種々変更されてもよい。
【００９５】
ここで、前記基準となる明るさ値は定数であってもよいが、好ましくは、患者個々人又は治療部位別に異なるように設定されてもよく、例えば、治療領域ＲＯＴに隣接する部分と皮膚トーンを一致させるために、周りの領域の明るさ値などを考慮して可変になってもよい。
【００９６】
顔が全体的に明るい白人（白色人種）の場合には、基準となる明るさ値を相対的に高く設定してもよい。これは、顔が全体的に明るい場合には、斑点、シミなどの治療が必要な部分、すなわち、治療領域がさらに際立って見えるからである。
【００９７】
これに対し、顔が白人に比べて全体的に暗い黄色人の場合には、基準となる明るさ値を白人に比べて相対的に低く設定してもよい。
【００９８】
治療領域ＲＯＴを検出した後に、関心領域ＲＯＩが設定される（ステップＳ１７４）。
【００９９】
上述したように、関心領域ＲＯＩは、治療領域ＲＯＴを含み、関心領域ＲＯＩと治療領域ＲＯＴは、同一に設定されてもよい。
【０１００】
図９の（Ａ）に示す場合において、オブジェクト４００の表面上の所定の領域Ｒ１の上に周りの一般領域ＲＯＮとは明るさ、カラー、輪郭、テクスチャーなどが異なる治療領域ＲＯＴが含まれている場合を想定し、治療領域ＲＯＴの形状は、説明のしやすさのために任意に設定したものであり、本発明はこれに限定されるものではない。
【０１０１】
この場合、図９の（Ｂ）に示すように、第１のポイントＰ１と第２のポイントＰ２をつなぐ第１のラインＬ１が治療領域ＲＯＴと接し、第２のポイントＰ２と第４のポイントＰ４をつなぐ第２のラインＬ２が治療領域ＲＯＴと接し、第３のポイントＰ３と第４のポイントＰ４をつなぐ第３のラインＬ３が治療領域ＲＯＴと接し、第４のポイントＰ４と第１のポイントＰ１をつなぐ第４のラインＬ４が治療領域ＲＯＴと接するように、第１、第２、第３及び第４のポイントＰ１、Ｐ２、Ｐ３、Ｐ４を設定してもよい。
【０１０２】
併せて、第１、第２、第３及び第４のポイントＰ１、Ｐ２、Ｐ３、Ｐ４によって画成される領域を関心領域ＲＯＩと設定してもよい。
【０１０３】
ここで、治療領域ＲＯＴは、関心領域ＲＯＩ内に含まれていてもよく、関心領域ＲＯＩは、治療領域ＲＯＴのみならず、一般領域ＲＯＮの一部も含んでいてもよい。
【０１０４】
以下では、一般領域ＲＯＮにおいて関心領域ＲＯＩに含まれている部分を第２の一般領域ＲＯＮ２と称し、一般領域ＲＯＮにおいて関心領域ＲＯＩに含まれていない部分を第１の一般領域ＲＯＮ１と称してもよい。
【０１０５】
図９に示す場合において、関心領域ＲＯＩを設定するとき、隣り合う二つのポイントをつなぐラインが治療領域ＲＯＴに接する場合のみを説明したが、本発明はこれに何等限定されない。
【０１０６】
例えば、図１０の場合のように、隣り合う二つのポイントをつなぐラインＬ１、Ｌ２、Ｌ３、Ｌ４のうちの少なくとも一つ又は全ては、治療領域ＲＯＴに接しなくても良い。
【０１０７】
このように、関心領域ＲＯＩを設定する方法は、種々変更可能である。
【０１０８】
もし、治療領域ＲＯＴの形状が多角形である場合には、ポイントの設定位置に応じて治療領域ＲＯＴと関心領域ＲＯＩが同じである場合も発生してもよい。
【０１０９】
一方、ガイド経路ＧＰは、治療領域ＲＯＴ内において設定されることが可能である。
【０１１０】
例えば、図１１に示すように、治療領域ＲＯＴ内において千鳥状にガイド経路ＧＰを設定することが可能である。
【０１１１】
このように、ガイド経路ＧＰは、治療領域ＲＯＴを通り、レーザーは、治療領域ＲＯＴに照射されることが可能である。
【０１１２】
一方、レーザー照射の開始段階と終了段階においては、レーザーのフルエンス（Ｆｌｕｅｎｃｅ）及び／又は周波数を調節することが可能である。
【０１１３】
前記レーザーのフルエンスは、単位面積当たりに伝達されるレーザーのエネルギー（Ｊ／ｃｍ２）を示すものであり、レーザーの強度又は強さを示してもよい。なお、前記レーザーの周波数は、レーザーの発射周波数（ｅｍｉｓｓｉｏｎ  ｆｒｅｑｕｅｎｃｙ）を意味してもよい。
【０１１４】
図１２の（Ａ）を参照すると、レーザーを照射するステップの開始段階においては、レーザーのフルエンス又は周波数のうちの少なくとも一方を徐々に上昇させ、照射ステップの終了段階においては、レーザーのフルエンス又は周波数のうちの少なくとも一方を徐々に減少させてもよい。
【０１１５】
以下では、レーザーの開始段階を加速区間Ｄ１と称し、レーザーの終了段階を減速区間Ｄ３と称してもよい。
【０１１６】
図１２の（Ｂ）に示すように、加速区間Ｄ１においては、ロボットアーム１００の移動速度が増加してもよい。すなわち、ロボットアーム１００が加速されてもよい。
【０１１７】
加速区間Ｄ１の発生理由は、ロボットアーム１００を動作させるモーターに電力を供給する時点から所望の回転速度に達するまである程度の時間が掛かるからである。
【０１１８】
併せて、減速区間Ｄ３においては、ロボットアーム１００の移動速度が減少してもよい。すなわち、ロボットアーム１００が減速されてもよい。減速区間Ｄ３が発生する理由もまた、加速区間Ｄ１と同様に、ロボットアーム１００を動作させるモーターへの電力の供給を遮断する時点からモーターが停止するまである程度の時間が掛かるからである。
【０１１９】
このように、加速区間Ｄ１においてレーザーのフルエンス及び／又は周波数を徐々に上昇させ、減速区間Ｄ３においてレーザーのフルエンス及び／又は周波数を徐々に減少させると、レーザーをより均一に照射することが可能であってもよい。
【０１２０】
レーザーのフルエンス及び／又は周波数は、ロボットアーム１００の移動速度と略比例してもよい。
【０１２１】
加速区間Ｄ１と減速区間Ｄ３との間の区間は、維持区間Ｄ２であるといえ、前記維持区間Ｄ２においては、レーザーの照射が中断されない限り、レーザーのフルエンス及び／又は周波数は略一定に保たれる。
【０１２２】
維持区間Ｄ２においては、ロボットアーム１００の速度は略一定に保たれてもよく、例えば、ロボットアーム１００の加速が終了する時点から減速が開始される時点までの期間Ｄ２の間にロボットアーム１００の速度は一定に保たれてもよい。
【０１２３】
図１３の（Ａ）に示すように、加速区間Ｄ１において階段状にレーザーのフルエンス及び／又は周波数を増加させたり、減速区間Ｄ３において階段状にレーザーのフルエンス及び／又は周波数を減少させたりする場合も可能であってもよい。
【０１２４】
この場合、加速区間Ｄ１においてレーザーのフルエンス及び／又は周波数を徐々に上昇させ、減速区間Ｄ３においてレーザーのフルエンス及び／又は周波数を徐々に減少させると見なしてもよい。
【０１２５】
一方、ガイド経路ＧＰは、関心領域ＲＯＩ内において治療領域ＲＯＴを逸脱することが可能であってもよい。
【０１２６】
例えば、図１４に示すように、関心領域ＲＯＩは、治療領域ＲＯＴと一般領域、すなわち、第２の一般領域ＲＯＮ２を一緒に含む場合に、ガイド経路ＧＰは治療領域ＲＯＴと第２の一般領域ＲＯＮ２を両方とも通過してもよい。
【０１２７】
この場合、レーザーは、治療領域ＲＯＴに対応してターンオン（Ｔｒｕｎ−Ｏｎ）され、第２の一般領域ＲＯＮ２に対応してターンオフ（Ｔｕｒｎ−Ｏｆｆ）されることが可能である。
【０１２８】
このように、関心領域ＲＯＩ内において治療領域ＲＯＴの形状を問わずにガイド経路ＧＰを設定することが可能である。
【０１２９】
また、ガイド経路ＧＰは、治療領域ＲＯＴを通る部分と治療領域ＲＯＴを逸脱して第２の一般領域ＲＯＮ２を通る部分Ｔ１、Ｔ２、Ｔ３、Ｔ４を含んでいてもよい。
【０１３０】
ロボットアーム１００は、図１５に示すように、ガイド経路ＧＰにおいて第２の一般領域ＲＯＮ２を通る部分に対しては、レーザーをターンオフ（Ｔｕｒｎ−Ｏｆｆ）させてもよい。言い換えれば、ロボットアーム１００がガイド経路ＧＰに沿ってレーザーを照射する過程において、オブジェクト４００の表面の色、明るさ及び輪郭のうちの少なくとも一つを踏まえて、レーザーをオン／オフにすると見なしてもよい。
【０１３１】
すなわち、ロボットアーム１００がガイド経路ＧＰに対応して移動していて、周りよりも色がさらに濃いか、または、明るさがさらに低い部分、すなわち、治療領域ＲＯＴに対応すれば、レーザーをターンオン（Ｔｕｒｎ−Ｏｎ）させ、周りよりも色がさらに薄いか、または、明るさがさらに高い部分、すなわち、一般領域ＲＯＮに対応すれば、レーザーをターンオフさせてもよいのである。
【０１３２】
図１５を参照すると、ロボットアーム１００が第２の一般領域ＲＯＮ２を通る期間Ｔ１、Ｔ２、Ｔ３、Ｔ４の間にレーザーの周波数及び／又はフルエンスが略０に設定されることが分かる。
【０１３３】
この場合、ロボットアームの動きを略一定に保持することができ、治療の精度を向上させることができる。
【０１３４】
一方、モーション制御部２２０の制御下で、治療領域ＲＯＴの色及び／又は明るさの度合いに基づいて、レーザーの周波数、照射時間、照射回数又はフルエンスのうちの少なくとも一つを調節することが可能である。
【０１３５】
図１６を参照すると、治療領域ＲＯＴは、第１の治療領域ＲＯＴ１と第２の治療領域ＲＯＴ２を含んでいてもよい。
【０１３６】
ここで、第２の治療領域ＲＯＴ２の色は、第１の治療領域ＲＯＴ１の色よりも濃くてもよく、第２の治療領域ＲＯＴ２の明るさは、第１の治療領域ＲＯＴ１の明るさよりも低くてもよい。
【０１３７】
または、第２の治療領域ＲＯＴ２の明るさは、予め設定された臨界明るさ値よりも低く、第１の治療領域ＲＯＴ１の明るさは、予め設定された臨界明るさ値よりも高くてもよい。
【０１３８】
この場合、第２の治療領域ＲＯＴ２は、第１の治療領域ＲＯＴ１に比べて集中的な治療が必要な部分であると認められる。
【０１３９】
レーザーの開始地点Ｐｓから始まって、順次、ガイド経路ＧＰ上における第２の一般領域ＲＯＮ２と第１の治療領域ＲＯＴ１との境界点を第１の地点Ｘ１とし、第１の治療領域ＲＯＴ１と第２の治療領域ＲＯＴ２との境界点を第２の地点Ｘ２とし、第２の治療領域ＲＯＴ２と第２の一般領域ＲＯＮ２との境界点を第３の地点Ｘ３とし、第２の一般領域ＲＯＮ２と第１の治療領域ＲＯＴ１との境界点を第４の地点Ｘ４とし、第１の治療領域ＲＯＴ１と第２の治療領域ＲＯＴ２との境界点を第５の地点Ｘ５とし、第２の治療領域ＲＯＴ２と第１の治療領域ＲＯＴ１との境界点を第６の地点Ｘ６とし、第１の治療領域ＲＯＴ１と第２の治療領域ＲＯＴ２との境界点を第７の地点Ｘ７とし、第２の治療領域ＲＯＴ２と第１の治療領域ＲＯＴ１との境界点を第８の地点Ｘ８とする。
【０１４０】
図１７に示すように、レーザーの開始地点Ｐｓから第１の地点Ｘ１までの間及び第３の地点Ｘ３から第４の地点Ｘ４までの間においては、レーザーをターンオフさせてもよい。例えば、Ｐｓ−Ｘ１区間及びＸ３−Ｘ４区間は、第２の一般領域ＲＯＮ２に含まれる区間であるため、ロボットアーム１００がレーザーを照射しなくてもよい。
【０１４１】
一方、Ｘ１−Ｘ２区間、Ｘ４−Ｘ５区間、Ｘ６−Ｘ７区間及び第８の地点Ｘ８から減速区間Ｄ３の開始前までの区間においては、レーザーの周波数を第１の周波数ｆ１に設定してもよい。
【０１４２】
そして、Ｘ１、Ｘ３及びＸ４地点においては、エンドエフェクター１０１の速度の変化、レーザーのフルエンス（Ｆｌｕｅｎｃｅ）又はパルス幅（ｐｕｌｓｅ  ｄｕｒａｔｉｏｎ）などの調整によるレーザー照射フルエンスの変化又はレーザー照射周波数の変化を通じて、漸進的な照射条件の変化（ｇｒａｄａｔｉｏｎ）が与えられるようにしてもよい。
【０１４３】
また、前記Ｘ１、Ｘ３及びＸ４以外の地点においても、上述したような漸進的な照射条件の変化（ｇｒａｄａｔｉｏｎ）が与えられるようにしてもよい。
【０１４４】
これに対し、Ｘ２−Ｘ３区間、Ｘ５−Ｘ６区間及びＸ７−Ｘ８区間においては、レーザーの周波数を第１の周波数ｆ１よりも高い第２の周波数ｆ２に設定してもよい。
【０１４５】
この場合、第２の治療領域ＲＯＴ２に相対的にさらに強いレーザーが照射可能になるので、治療効率が向上する。
【０１４６】
図１８の（Ａ）を参照すると、Ｘ１−Ｘ３区間、Ｘ４−Ｘ８区間及び第８の地点Ｘ８から減速区間Ｄ３の開始前までの区間においては、レーザーの周波数を第１の周波数ｆ１に同様に設定してもよい。
【０１４７】
このように、レーザーの周波数を保った状態で、図１８の（Ｂ）に示すように、加速区間Ｄ１が終了する地点から第２の地点Ｘ２までの区間、Ｘ３−Ｘ５区間、Ｘ６−Ｘ７区間及び第８の地点Ｘ８から減速区間Ｄ３の開始前までの区間においては、ロボットアーム１００の移動速度を第１の速度Ｖ１に設定してもよい。
【０１４８】
これに対し、Ｘ２−Ｘ３区間、Ｘ５−Ｘ６区間及びＸ７−Ｘ８区間においては、ロボットアーム１００の移動速度を第１の速度Ｖ１よりも遅い第２の速度Ｖ２に設定してもよい。
【０１４９】
この場合、第２の治療領域ＲＯＴ２に相対的にさらに長い間にレーザーが照射可能になるので、治療効率が向上する。
【０１５０】
すなわち、エンドエフェクター（ＥＥ）の速度とレーザーのフルエンス（ｆｌｕｅｎｃｅ）は一定しており、レーザーの周波数（ｅｍｉｓｓｉｏｎ  ｆｒｅｑｕｅｎｃｙ）が高くなる場合、第２の治療領域ＲＯＴ２に相対的にレーザーのオーバーラップ率（ｏｖｅｒｌａｐｐｉｎｇ）が高くなってさらに多量のレーザーエネルギーが伝達可能である。
【０１５１】
一方、第２の治療領域ＲＯＴ２に対しては、治療回数を第１の治療領域ＲＯＴ１に比べて相対的にさらに多く設定してもよい。これについて、添付の図１９を参照して、以下に説明する。
【０１５２】
図１９の（Ａ）は、ロボットアーム１００が関心領域ＲＯＩ内においてガイド経路ＧＰに沿ってオブジェクト４００の表面にレーザーを照射して１回目のレーザー治療を実施する状況を示すものであり、図１９の（Ｂ）は、１回目の治療が終了した後に、２回目の治療を実施する状況を示すものである。
【０１５３】
図１９の（Ａ）を参照すると、Ｘ１−Ｘ３区間、Ｘ４−Ｘ８区間及び第８の地点Ｘ８から減速区間Ｄ３の開始前までの区間においては、ロボットアーム１００がレーザーを照射し、ここで、レーザーの周波数を第１の周波数ｆ１に同様に設定してもよい。
【０１５４】
図１９の（Ｂ）を参照すると、２回目の治療過程においては、第２の治療領域ＲＯＴ２に対応するＸ２−Ｘ３区間、Ｘ５−Ｘ６区間及びＸ７−Ｘ８区間においてロボットアーム１００がレーザーを照射し、ここで、レーザーの周波数を第２の周波数ｆ２と第１の周波数ｆ１との差分に相当する周波数に同様に設定してもよい。
【０１５５】
これにより、第２の治療領域ＲＯＴ２においては、第２の周波数ｆ２のレーザーが照射される場合と略同じ治療効果が得られる。
【０１５６】
本発明においては、治療効果を高め、治療の精度を向上させるために、図２０の場合のように、ロボットアーム１００のエンドエフェクター１０１がオブジェクト４００の表面に略垂直にレーザーを照射することが好ましい。
【０１５７】
このため、ロボットアーム１００は、十分な自由度（Ｄｅｇｒｅｅ  Ｏｆ  Ｆｒｅｅｄｏｍ；ＤＯＦ）を有することが好ましい。詳しくは、ロボットアーム１００は、少なくとも５自由度を有することが好ましく、例外的な状況に備えて、６自由度を有することがさらに好ましい。
【０１５８】
本発明によるレーザーの照射装置１０を用いて実施したレーザーの照射実験が、図２１及び図２２に示されている。
【０１５９】
図２１を参照すると、レーザー発射部（Ｌａｓｅｒ  Ｅｍｉｔｔｅｒ）、モーター（Ｍｏｔｏｒ）、モータードライブ（Ｍｏｔｏｒ  Ｄｒｉｖｅ）、反射ミラー（Ｍｉｒｒｏｒ）及びエンドエフェクター（ＥＥ）を備えるロボットアーム１００が人間の頭部形状の石こう像であるオブジェクト４００の表面にレーザーを照射する場合の一例が示されている。
【０１６０】
モーターとモータードライブは、ロボットアーム１００を動作させてもよい。
【０１６１】
レーザー発射部がレーザーを発射すれば、反射ミラーがこれを所定の角度で反射してエンドエフェクターに達するようにしてもよい。
【０１６２】
そして、エンドエフェクターがレーザーをオブジェクト４００の表面に照射してもよい。
【０１６３】
図２２を参照すると、ガイド経路ＧＰがオブジェクト４００の表面に螺旋状に設定されることを確認することができる。図２２は、オブジェクト４００の表面にレーザーが照射されることを一定の期間の間に撮影してガイド経路ＧＰのような形状に実現したものであると認められる。
【０１６４】
一方、状況に応じて、レーザー照射を停止したり、あるいは、ガイド経路を修正したりすることが可能である。これについて説明すると、次の通りである。
【０１６５】
図２３を参照すると、ガイド経路ＧＰを設定したりレーザーを照射したりした後、オブジェクト４００の動きの有無を判断（ステップＳ２００）してもよい。例えば、オブジェクト４００が人間の頭部である場合、鼻、両眼など特定の部位を観察して当該部位に動きがあるか否かを判断してもよい。又は、オブジェクト４００の表面が動く場合、例えば、人間の顔の皮膚に痙攣が発生するなどの理由により皮膚に動きがある場合であっても、オブジェクト４００の動きがあると見なされる。
【０１６６】
判断の結果、オブジェクト４００の動きがない場合には、設定されたガイド経路ＧＰを維持（ステップＳ２１０）してもよい。
【０１６７】
これに対し、判断の結果、オブジェクト４００の動きがある場合には、オブジェクト４００の動き量を測定（ステップＳ２２０）してもよい。オブジェクト４００の動き量を測定することは、オブジェクト４００がどれ位動いたかを判断することであると認められる。
【０１６８】
動き量を測定した結果、動き量が予め設定された臨界範囲を超えるか否かを判断（ステップＳ２３０）してもよい。
【０１６９】
判断の結果、オブジェクト４００の動き量が予め設定された臨界範囲を超える場合には、緊急停止（ステップＳ２４０）モードを起動してもよい。このような場合、レーザー照射を緊急に停止してもよい。
【０１７０】
これに対し、オブジェクト４００の動き量が臨界範囲を超えない場合には、動き量を考慮して、関心領域ＲＯＩを再設定（ステップＳ２５０）してもよい。
【０１７１】
ここでは、スキャナー３００がオブジェクト４００の動きを捕捉し、ビジョン制御部２１０が関心領域ＲＯＩを新たに設定すれば、モーション制御部２２０がガイド経路を補償／修正すると見なされる。
【０１７２】
併せて、関心領域ＲＯＩの再設定に対応してガイド経路ＧＰも修正（ステップＳ２６０）してもよい。
【０１７３】
例えば、図２４の場合のように、オブジェクト４００が左上側に向かって１ｃｍだけ動いたならば、関心領域ＲＯＩもまた左上側に向かって１ｃｍだけ移動させることができるのである。これに対応して、ガイド経路ＧＰもまた左上側に向かって１ｃｍだけ移動してもよい。
【０１７４】
その後、修正されたガイド経路ＧＰに対応して、オブジェクト４００の表面にレーザーを照射（ステップＳ２７０）してもよい。
【０１７５】
このように、レーザーの施術過程において、オブジェクト４００の動きが発生する場合、オブジェクト４００の動きに応じてリアルタイムにてガイド経路ＧＰを修正することが可能であってもよい。
【０１７６】
一方、上記では、オブジェクト４００が同じ平面上において上下左右に動く場合を例にとって実施形態を説明したが、レーザーの照射装置のエンドエフェクター（ＥＥ）とオブジェクト４００の表面との間隔が保たれるようにして、オブジェクト４００が前後に動く場合にも適応可能なようにしてもよい。
【０１７７】
レーザーの照射装置１０に振動が発生する場合、もしくは、力が加えられる場合であっても、緊急停止モードを起動してもよい。
【０１７８】
例えば、図２５に示すように、ガイド経路ＧＰを設定したりレーザーを照射したりした後、レーザーの照射装置１０に振動が発生するか否か、又は力が加えられるか否かを判断（ステップＳ３００）してもよい。
【０１７９】
判断の結果、振動がないか、又は、力が加えられない場合には、設定されたガイド経路ＧＰを維持（ステップＳ３１０）してもよい。
【０１８０】
これに対し、判断の結果、 振動が発生するか、又は、力が加えられる場合には、振動及び／又は力を測定（ステップＳ３２０）してもよい。
【０１８１】
測定の結果、予め設定された基準値以上の振動が発生するか否か、又は、予め設定された臨界値以上の力が加えられるか否かを判断（ステップＳ３３０）してもよい。
【０１８２】
判断の結果、基準値以上の振動が発生するか、又は、臨界値以上の力が加えられる場合には、緊急停止モード（ステップＳ３４０）を起動してもよい。このような場合、レーザー照射を緊急に停止してもよい。
【０１８３】
これに対し、発生した振動が基準値以下であるか、又は、加えられる力が臨界値以下である場合には、振動及び／又は力を考慮して、関心領域ＲＯＩを再設定（ステップＳ３５０）してもよい。
【０１８４】
併せて、関心領域ＲＯＩの再設定に対応して、ガイド経路ＧＰもまた修正（ステップＳ３６０）してもよい。
【０１８５】
その後、修正されたガイド経路ＧＰに対応して、オブジェクト４００の表面にレーザーを照射（ステップＳ３７０）してもよい。
【０１８６】
例えば、施術の途中に誰かがレーザーの照射装置又は患者が横たわっているテーブルに触ったりぶつかったりする状況や地震が発生する状況などにより、ロボットアーム１００に基準値以上の振動が発生する場合に、レーザーの照射装置１０を緊急に停止してレーザー照射を停止してもよい。又は、施術の途中に、ユーザー（医者など）が、施術が誤っていることに気付いてロボットアーム１００を手で奪い取ってロボットアーム１００に臨界値以上の力が加えられる場合に、レーザーの照射装置１０を緊急に停止してレーザー照射を停止してもよい。
【０１８７】
上述したレーザーの照射装置に適用されるロボットアームについて添付の図面を参照して説明すると、次の通りである。
【０１８８】
図２６から図３４は、ロボットアームの構造に対する実施形態について説明するための図である。以下では、上述した内容についての説明は省略する。上述した内容は、以下のロボットアーム１００を用いて実現されてもよい。
【０１８９】
後述する第１のリンク１３０と、第２のリンク１４０と、第１の末端部分１６１と、第２の末端部分１６２及び第３の末端部分１６３は、それぞれ中空状のパイプ（Ｐｉｐｅ）タイプであってもよい。これにより、レーザー部５００が発散するレーザーが所定のミラー（Ｍｉｒｒｏｒ）に反射されながら、第１のリンク１３０と、第２のリンク１４０と、第１の末端部分１６１と、第２の末端部分１６２及び第３の末端部分１６３を介してエンドエフェクター１０１まで伝達可能である。これについては、以下に、より詳しく説明する。
【０１９０】
図２６から図３０を参照すると、ロボットアーム１００は、第１のベース部（Ｆｉｒｓｔ  Ｂａｓｅ  Ｐａｒｔ）１１０と、第２のベース部（Ｓｅｃｏｎｄ  Ｂａｓｅ  Ｐａｒｔ）１２０と、第１のリンク（Ｆｉｒｓｔ  Ｌｉｎｋ）１３０と、第２のリンク（Ｓｅｃｏｎｄ  Ｌｉｎｋ）１４０と、補助リンク（Ａｕｘｉｌｉａｒｙ  Ｌｉｎｋ）１５０と、レーザー部（Ｌａｓｅｒ  Ｐａｒｔ）５００と、第１のモーター部（Ｆｉｒｓｔ  Ｍｏｔｏｒ  Ｐａｒｔ）１７０と、第２のモーター部（Ｓｅｃｏｎｄ  Ｍｏｔｏｒ  Ｐａｒｔ）１８０及び第３のモーター部（Ｔｈｉｒｄ  Ｍｏｔｏｒ  Ｐａｒｔ）１９０を備えていてもよい。
【０１９１】
レーザー部５００は、第１のベース部１１０に配置され、レーザーを発生させることができる。
【０１９２】
第２のベース部１２０は、第１のベース部１１０に回転自在にカップリング（Ｃｏｕｐｌｉｎｇ）されてもよい。
【０１９３】
図２８に示すように、第２のベース部１２０は、第１のベース部１１０において回転運動することを確認することができる。
【０１９４】
第１のモーター部１７０は、第１のベース部１１０に配置され、第２のベース部１２０を回転させてもよい。
【０１９５】
図２６と、図２７及び図２９を参照すると、第１のリンク１３０は、第２のベース部１２０に揺動（Ｓｗｉｎｇ）自在にカップリングされてもよい。
【０１９６】
第２のモーター部１８０は、第２のベース部１８０に配置され、第１のリンク１３０を揺動させてもよい。
【０１９７】
図２９には、第１のリンク１３０が第２のベース部１２０との連結部分を軸として揺動運動する場合の一例が示されている。
【０１９８】
第２のベース部１２０には、第１のミラー部（Ｆｉｒｓｔ  Ｍｉｒｒｏｒ  Ｐａｒｔ）６００が配置されてもよい。第１のミラー部６００は、レーザー部５００に対応してレーザー部５００が発散するレーザーを第１のリンク１３０に向かって反射させてもよい。
【０１９９】
第１のリンク１３０には、第１のミラー部６００に対応する第２のミラー部（Ｓｅｃｏｎｄ  Ｍｉｒｒｏｒ  Ｐａｒｔ）６１０が配置されてもよい。第２のミラー部６１０は、図２９及び図３０に示すように、第１のサブミラー（Ｆｉｒｓｔ  Ｓｕｂ  Ｍｉｒｒｏｒ）６１１と第２のサブミラー（Ｓｅｃｏｎｄ  Ｓｕｂ  Ｍｉｒｒｏｒ）６１２を備えていてもよい。
【０２００】
第１のサブミラー６１１は、第１のミラー部６００に対応し、第２のサブミラー６１２は、第１のサブミラー６１１に対応してもよい。
【０２０１】
第２のミラー部６１０は、第１のミラー部６００が反射したレーザーを第２のリンク１４０に向かって反射させてもよい。詳しくは、第２のミラー部６１０の第１のサブミラー６１１は、第１のミラー部６００が反射したレーザーを第２のサブミラー６１２に向かって反射させ、第２のサブミラー６１２は、第１のサブミラー６１１が反射したレーザーを第２のリンク１４０に設けられる第３のミラー部（Ｔｈｉｒｄ  Ｍｉｒｒｏｒ  Ｐａｒｔ）６２０に向かって反射させてもよい。第３のミラー部６２０は、第２のサブミラー６１２が反射したレーザーを末端部１６０に向かって反射させてもよい。
【０２０２】
図２６と、図２７及び図３０を参照すると、第２のリンク１４０は、第１のリンク１３０に揺動自在にカップリングされてもよい。
【０２０３】
補助リンク１５０の一端が、第２のベース部１２０にカップリングされ、他端が、第２のリンク１４０にカップリングされてもよい。このため、第２のリンク１４０の一端には、第２のリンク１４０の延長方向とは反対の方向に延びる第１の延長アーム（Ｆｉｒｓｔ  Ｅｘｔｅｎｄｉｎｇ  Ａｒｍ）１４１が配置されてもよい。併せて、第２のベース部１２０には、第２の減速器５２０が配置され、第２の減速器５２０には、第２の延長アーム（Ｓｅｃｏｎｄ  Ｅｘｔｅｎｄｉｎｇ  Ａｒｍ）１５１が配置されてもよい。
【０２０４】
補助リンク１５０の一端が、第２の延長アーム１５１に連結されることにより、第２のベース部１２０にカップリングされ、補助リンク１５０の他端が、第１の延長アーム１４１に連結されることにより、第２のリンク１４０にカップリングされてもよい。
【０２０５】
第３のモーター部１９０は、第２のベース部１２０に配置され、補助リンク１５０を介して第２のリンク１４０を揺動させてもよい。詳しくは、第３のモーター部１９０は、補助リンク１５０を上下に運動させ、補助リンク１５０の上下運動によって第２のリンク１４０が揺動してもよい。例えば、第３のモーター部１９０が回転すれば、第２の延長アーム１５１が動き、これにつれて、図３０の場合のように、補助リンク１５０が上下に動き、これにより、第２のリンク１４０が揺動運動してもよい。
【０２０６】
第２の減速器５２０は、第３のモーター部１９０に連結され、第３のモーター部１９０の回転数を所要の回転数に減速してもよい。場合によって、第２の減速器５２０は、省略可能である。
【０２０７】
図２６及び図２７に示すように、第２のベース部１２０には、第１の減速器５１０がさらに配置されてもよい。
【０２０８】
第１の減速器５１０は、第２のモーター部１８０に連結され、第２のモーター部１８０の回転数を所要の回転数に減少してもよい。場合によって、第１の減速器５１０は、省略可能である。
【０２０９】
第２のリンク１４０には、末端部（Ｅｎｄ  Ｐａｒｔ）１６０がカップリングされてもよい。
【０２１０】
図３１及び図３２を参照すると、末端部１６０は、第１の末端部分（Ｆｉｒｓｔ  Ｅｎｄ  Ｐａｒｔ）１６１と、第２の末端部分（Ｓｅｃｏｎｄ  Ｅｎｄ  Ｐａｒｔ）１６２及び第３の末端部分（Ｔｈｉｒｄ  Ｅｎｄ  Ｐａｒｔ）１６３を備えていてもよい。
【０２１１】
併せて、末端部１６０は、レーザーをオブジェクト、例えば、患者の皮膚に照射するエンドエフェクター（Ｅｎｄ−Ｅｆｆｅｃｔｏｒ；ＥＥ）１０１を備えていてもよい。エンドエフェクター１０１は、第３の末端部分１６３に配置されてもよい。
【０２１２】
第１の末端部分１６１は、第２のリンク１４０にカップリングされ、第１の軸（Ｆｉｒｓｔ  Ａｘｉｓ）Ｘ１を中心に回転してもよい。
【０２１３】
第２の末端部分１６２は、第１の末端部分１６１にカップリングされ、第１の軸Ｘ１と直交する第２の軸（Ｓｅｃｏｎｄ  Ａｘｉｓ）Ｘ２を中心に回転してもよい。
【０２１４】
第３の末端部分１６３は、第２の末端部分１６２にカップリングされ、第２の軸Ｘ２と直交する第３の軸（Ｔｈｉｒｄ  Ａｘｉｓ）Ｘ３を中心に回転可能である。
【０２１５】
第１、第２及び第３の末端部分１６１、１６２、１６３は、それぞれ「┐」字状のエルボー（Ｅｌｂｏｗ）パイプであってもよい。
【０２１６】
第１の末端部分１６１には、第３のミラー部６２０に対応する第４のミラー部（Ｆｏｕｒｔｈ  Ｍｉｒｒｏｒ  Ｐａｒｔ）６３０が配置されてもよい。例えば、第４のミラー部６３０は、第１の末端部分１６１の曲げられた部分に配置されてもよい。
【０２１７】
第２の末端部分１６２には、第４のミラー部６３０に対応する第５のミラー部（Ｆｉｆｔｈ  Ｍｉｒｒｏｒ  Ｐａｒｔ）６４０が配置されてもよい。例えば、第５のミラー部６４０は、第２の末端部分１６２の曲げられた部分に配置されてもよい。
【０２１８】
第３の末端部分１６３には、第５のミラー部６４０に対応する第６のミラー部（Ｓｉｘｔｈ  Ｍｉｒｒｏｒ  Ｐａｒｔ）６５０が配置されてもよい。例えば、第６のミラー部６５０は、第３の末端部分１６３の曲げられた部分に配置されてもよい。
【０２１９】
第１の末端部分１６１は、第４のモーター部（Ｆｏｕｒｔｈ  Ｍｏｔｏｒ  Ｐａｒｔ）１６４によって第１の軸Ｘ１を中心に回転してもよい。第４のモーター部１６４は、第１の末端部分１６１に配置されてもよい。
【０２２０】
第２の末端部分１６２は、第５のモーター部（Ｆｉｆｔｈ  Ｍｏｔｏｒ  Ｐａｒｔ）１６５によって第２の軸Ｘ２を中心に回転してもよい。第５のモーター部１６５は、第２の末端部分１６２に配置されてもよい。
【０２２１】
第３の末端部分１６３は、第６のモーター部（Ｓｉｘｔｈ  Ｍｏｔｏｒ  Ｐａｒｔ）１６６によって第３の軸Ｘ３を中心に回転してもよい。第６のモーター部１６６は、第３の末端部分１６３に配置されてもよい。
【０２２２】
レーザー部５００がレーザーを発射すれば、図３３の場合のように、発射されたレーザーは、第１のミラー部６００と、第２のミラー部６１０の第１のサブミラー６１１及び第２のサブミラー６１２によって反射されて第３のミラー部６２０に向かってもよい。
【０２２３】
その後、第２のサブミラー６１２によって反射されたレーザーは、第３のミラー部６２０と、第４のミラー部６３０と、第５のミラー部６４０及び第６のミラー部６５０を介してエンドエフェクター１０１に達してもよい。併せて、エンドエフェクター１０１に達したレーザーは、エンドエフェクター１０１を介して外部に照射されてもよい。
【０２２４】
一方、第３の末端部分１６３の動きは、第１の末端部分１６１及び／又は第２の末端部分１６２の動きに比べて制限されてもよい。
【０２２５】
例えば、レーザーを照射すべき位置が定められれば、優先的に第１のリンク１３０及び／又は第２のリンク１４０を動かしてエンドエフェクター１０１を当該位置に最大限に近付け、その後、第１の末端部分１６１及び／又は第２の末端部分１６２を動かしてエンドエフェクター１０１を当該位置にさらに近づけてもよい。もし、第１のリンク１３０と、第２のリンク１４０と、第１の末端部分１６１及び／又は第２の末端部分１６２の動きでエンドエフェクターを所望の位置に位置付け難い場合には、第３の末端部分１６３を動かしてエンドエフェクターを操作してもよい。
【０２２６】
又は、第３の末端部分１６３の最大の動作範囲を第１の末端部分１６１及び／又は第２の末端部分１６２の動作範囲よりも狭く設定することが可能である。
【０２２７】
一方、第２のミラー部６１０を第１のサブミラー６１１と第２のサブミラー６１２により構成すれば、ロボットアーム１００の活動半径を拡げてレーザー治療の効率を向上させることができる。
【０２２８】
詳しくは、図３０に示すように、第１のリンク１３０の一端に第１のサブミラー６１１を配置し、第１のリンク１３０の他端に第２のサブミラー６１２を配置すれば、レーザー部５００が発射したレーザーを効果的に第２のリンク１４０に向かって反射させることができ、併せて、第２のリンク１４０の揺動方向をより自由に設定することができる。例えば、第１のリンク１３０の揺動方向と第２のリンク１４０の揺動方向を略同じくすることが可能である。
【０２２９】
このような場合、図３４の（Ａ）、（Ｂ）、（Ｃ）のように、第１のリンク１３０と第２のリンク１４０を同じ方向に移動させることができるので、ロボットアーム１００の活動半径がさらに広くなる。
【０２３０】
以上、図２６から図３４を参照して本発明の一実施形態によるロボットアーム１００の構成について説明したが、本発明は、図示の構成に何等限定されるものではなく、図示の構成要素のうちの一部が省略されてもよく、必要に応じて、付加的な構成要素が追加されてもよい。
【０２３１】
例えば、第２のベース部１２０に揺動（Ｓｗｉｎｇ）自在にカップリングされる第１のリンク１３０は、必要に応じて省略されてもよい。
【０２３２】
以上、ロボットアームを利用するタイプのレーザーの照射装置を例にとって本発明の実施形態を説明したが、本発明は、これに何等限定されるものではなく、それ以外に患者の身体の顔を包み込むガントリー（Ｇａｎｔｒｙ）タイプのレーザーの照射装置又は患者の顔に貼着されるレーザーアレイパッチタイプのレーザーの照射装置など種々のタイプの装置において移動パターンを制御する上で適用可能であってもよい。
【０２３３】
また、上記では、レーザーを用いた治療装置を例にとって本発明を説明したが、上述した本発明の技術的構成は、それ以外に、高周波、超音波、ＩＰＬ（Ｉｎｔｅｎｓｅ  Ｐｕｌｓｅ  Ｌｉｇｈｔ）、Ｐｓｏｒａｌｅｎ−ＵＶ−Ａ（ＰＵＶＡ）などを用いて皮膚を治療する種々のエネルギーに基づく治療装置（ｅｎｅｒｇｙ  ｂａｓｅｄ  ｍｅｄｉｃａｌ  ｄｅｖｉｃｅ）に適用可能であってもよい。
【０２３４】
一方、上記では、本発明の一実施形態によるレーザーの照射装置のロボットアーム１００が複数の反射ミラーを用いてレーザー発射部（Ｌａｓｅｒ  Ｅｍｉｔｔｅｒ）からエンドエフェクター（ＥＥ）へとレーザーを伝達する場合を例にとって本発明を説明したが、本発明は、これに何等限定されるものではなく、光ファイバー（ｏｐｔｉｃ  ｆｉｂｅｒ）を用いてレーザーがエンドエフェクター（ＥＥ）に伝達されてもよい。
【０２３５】
上述した本発明による方法は、本発明によるレーザーの照射装置又はコンピューターにおいて起動されるためのプログラムとして作成されてもよい。前記作成されたプログラムは、コンピューター読み取り可能な記録媒体に保存されてもよく、コンピューター読み取り可能な記録媒体の例としては、ＲＯＭ、ＲＡＭ、ＣＤ−ＲＯＭ、磁気テープ、フロッピーテープ、光データ貯蔵装置などが挙げられ、かつ、キャリアーウェーブ（例えば、インターネットを介した伝送）のタイプに実現されるものも含む。
【０２３６】
コンピューター読み取り可能な記録媒体は、ネットワークで結ばれたコンピューターシステムに分散されて、分散方式でコンピューター読み取り可能なコードが保存され且つ起動されてもよい。なお、前記方法を実現するための機能的な（ｆｕｎｃｔｉｏｎ）プログラム、コード及びコードセグメントは、本発明が属する技術分野のプログラマーによって容易に推論可能である。
【０２３７】
このように、上述した本発明の技術的な構成は、本発明が属する技術分野における当業者が、本発明の技術的思想や必須の特徴を変更することなく、他の具体的な形態で実施可能であるということが理解できる筈である。
【０２３８】
よって、上述した実施形態は、あらゆる面において例示的なものに過ぎず、限定的ではないものと理解すべきであり、本発明の範囲は、上述した詳細な説明よりは、後述する特許請求の範囲によって表わされ、特許請求の範囲の意味及び範囲、並びにその均等概念から導き出されるあらゆる変更または変形された形態が本発明の範囲に含まれるものと解釈されるべきである。
【図１】
2019513501.tif 000003
【図２】
2019513501.tif 000004
【図３】
2019513501.tif 000005
【図４】
2019513501.tif 000006
【図５】
2019513501.tif 000007
【図６】
2019513501.tif 000008
【図７】
2019513501.tif 000009
【図８】
2019513501.tif 000010
【図９】
2019513501.tif 000011
【図１０】
2019513501.tif 000012
【図１１】
2019513501.tif 000013
【図１２】
2019513501.tif 000014
【図１３】
2019513501.tif 000015
【図１４】
2019513501.tif 000016
【図１５】
2019513501.tif 000017
【図１６】
2019513501.tif 000018
【図１７】
2019513501.tif 000019
【図１８】
2019513501.tif 000020
【図１９】
2019513501.tif 000021
【図２０】
2019513501.tif 000022
【図２１】
2019513501.tif 000023
【図２２】
2019513501.tif 000024
【図２３】
2019513501.tif 000025
【図２４】
2019513501.tif 000026
【図２５】
2019513501.tif 000027
【図２６】
2019513501.tif 000028
【図２７】
2019513501.tif 000029
【図２８】
2019513501.tif 000030
【図２９】
2019513501.tif 000031
【図３０】
2019513501.tif 000032
【図３１】
2019513501.tif 000033
【図３２】
2019513501.tif 000034
【図３３】
2019513501.tif 000035
【図３４】
2019513501.tif 000036
【国際調査報告】
2019513501.tif 000037
2019513501.tif 000038
2019513501.tif 000039
2019513501.tif 000040
2019513501.tif 000041
2019513501.tif 000042